(57)【特許請求の範囲】
【請求項１】
一体になった外郭で囲まれた本体上面に設けられた天板と、前記天板の下方に設けられた第１の加熱コイル及び第２の加熱コイルと、冷却ファンと、前記本体の出力を設定する操作部と、前記加熱コイルの駆動回路を形成する複数のプリント基板と、前記本体内の左右何れかの片側に設けられたロースター加熱室と、前記ロースター加熱室を覆うように設けた前記ロースター加熱室上部の遮熱隔壁及び前記ロースター加熱室の前記本体中心側の仕切り板と、前記本体上面後部で前記ロースターと反対側に設けられた吸気口及び前記ロースター側に設けられた排気口とを備え、前記遮熱隔壁の上部に前記第２の加熱コイルを設け、前記ロースター加熱室の側方に前記複数のプリント板を、前記複数のプリント基板の奥側に近接して前記冷却ファンをそれぞれ設け、前記複数のプリント基板がそれぞれ基板保持台で個別にユニットにして積み重ねられ、前記プリント基板を覆うように隔壁をさらに設けて前記基板保持台と前記隔壁で通風路を形成するとともに前記隔壁の上部に前記第１の加熱コイルを設け、前記隔壁の前記ロースター加熱室側に第１の開口を、前記隔壁の前記第１の加熱コイル側に第２の開口を形成し、前記冷却ファンによる冷却風は、前記吸気口から前記通風路に送られるとともに、前記第１の開口及び前記第２の開口を通って前記排気口に送られる誘導加熱調理器。
【発明の詳細な説明】
【０００１】
【発明の属する技術分野】
本発明はロースターを備えるキッチンなどへの組み込み式誘導加熱調理器に関するものである。
【０００２】
【従来の技術】
従来この種の誘導加熱調理器は、図１９および図１９のＡ−Ａ断面図である図２０に示すように本体１の左側前面にロースター扉２を、その奥側本体内の天井部にヒータ３と受け皿４と焼き網５とを具備する片面焼きのロースターケース６を備え、ロースター扉２の反対側には、本体１前面の出力を設定する操作部７と、複数の加熱コイル８，９と、加熱コイル８，９に対応した駆動回路を構成する複数のプリント基板１０，１１と、ラジェントヒーター１２と、複数のプリント基板１０，１１に対応した複数の冷却ファン１３，１４とを備え、複数の冷却ファン１３，１４でプリント基板１０，１１ならびに加熱コイル８，９や本体１の全体に送風している。また、ロースターヒーター３とラジェントヒーター１２への通電制御装置はそれぞれプリント基板１０，１１内に含まれている。そしてこのような構成とすることにより、複数の加熱コイルがそれぞれの駆動回路を構成するプリント基板とセットで個別のファンで冷却されるので、非常に効率的に本体１内の冷却が実現できるものであった。
【０００３】
【発明が解決しようとする課題】
しかしこのような構成の誘導加熱料理器は、加熱コイル８とプリント基板１０との間隔を所定寸法とする必要があり、キッチンに組み込むための本体１の高さ寸法が決まっているので、ロースターケース６の高さに制約を受けて庫内の広いロースターの実現が困難となり、例えば焼き網の上下にヒーターを有する両面焼きロースターを提供することは困難であった。
【０００４】
【課題を解決するための手段】
上記課題を解決するために本発明は、本体のロースターが配設された側と反対側の本体前面に出力を設定する操作部を、その操作部の奥方に加熱コイルの駆動回路部と冷却ファンとを備えることとし、両面焼きロースターなど広い庫内を必要とするロースターを具備する誘導加熱調理器を容易に実現するようにした。
【０００５】
【発明の実施形態】
本発明の請求項１記載に係る発明は、一体になった外郭で囲まれた本体上面に設けられた天板と、前記天板の下方に設けられた第１の加熱コイル及び第２の加熱コイルと、冷却ファンと、前記本体の出力を設定する操作部と、前記加熱コイルの駆動回路を形成する複数のプリント基板と、前記本体内の左右何れかの片側に設けられたロースター加熱室と、前記ロースター加熱室を覆うように設けた前記ロースター加熱室上部の遮熱隔壁及び前記ロースター加熱室の前記本体中心側の仕切り板と、前記本体上面後部で前記ロースターと反対側に設けられた吸気口及び前記ロースター側に設けられた排気口とを備え、前記遮熱隔壁の上部に前記第２の加熱コイルを設け、前記ロースター加熱室の側方に前記複数のプリント板を、前記複数のプリント基板の奥側に近接して前記冷却ファンをそれぞれ設け、前記複数のプリント基板がそれぞれ基板保持台で個別にユニットにして積み重ねられ、前記プリント基板を覆うように隔壁をさらに設けて前記基板保持台と前記隔壁で通風路を形成するとともに前記隔壁の上部に前記第１の加熱コイルを設け、前記隔壁の前記ロースター加熱室側に第１の開口を、前記隔壁の前記第１の加熱コイル側に第２の開口を形成し、前記冷却ファンによる冷却風は、前記吸気口から前記通風路に送られるとともに、前記第１の開口及び前記第２の開口を通って前記排気口に送られるものである。この構成を実施形態とすることにより組み込み式のため本体高さが決まっている中で、両面焼きなど庫内高さの大きいロースターを実現すると同時に、本体内の効率的な冷却、ひいては冷却ファンなどが発する騒音の低い誘導加熱調理器を実現することができるものである。
【０００６】
【実施例】
（実施例１）
以下、本発明の実施例１について図１、図２および図３により説明する。
【０００７】
図において、本体２１上面の天板２２の下方前方右に加熱コイル２３と、左の加熱源である加熱コイル２４と、その後方のラジェントヒーター２５とを備えている。本体前面左側にはロースター扉２６と、その奥側のロースター加熱室２７とを備え、ロースター加熱室２７の内部は受け皿と、焼き網と、焼き網上側と下側両方にヒーターを備えた（図示せず）両面焼きロースターを構成している、このためロースター加熱室２７の高さ寸法が大きくなりロースター加熱室２７の上側は遮熱隔壁２８を介して限られた空間内に加熱コイル２４のみが配設されている。本体の前面右側に調理器の本体２１の出力を設定する操作部２９と、その奥方の右側の加熱コイル２３の駆動回路を構成する第１のプリント基板３０と左側の加熱コイル２４の駆動回路を構成する第２のプリント基板３１とを備え、これら複数のプリント基板３０、３１は基板保持台３２、３３によって２層になるよう支えられ、第１のプリント基板３０と基板保持台３２、第２のプリント基板３１と基板保持台３３とはそれぞれ個別にユニットにして積み重ねられている。さらにその奥側に近接したシロッコ型で回転軸がプリント基板３０、３１と直交するように配設した冷却ファン３４と、その上方のモータ３５と、冷却ファン３４およびモータ３５を覆う吸気ダクト３６とを備えている。さらにラジェントヒータ２５とロースターヒータの駆動回路はプリント基板３０、３１の中に構成されている。さらに、本体２１の上面後部には吸気ダクト３６につながる吸気口３７とその反対側でロースター加熱室２７側の排気口３８を備えている。また、第２のプリント基板３１とユニットになった基盤保持台３３の上端位置は、遮熱隔壁２８と略同一高さである。そして、以上のように本体２１は全体が外郭により一体化され、外郭の上部のフランジ３９によってキッチンなどに支えられる組み込み式のものである。そして、ロースター加熱室２７の上には、遮熱隔壁２８や左の加熱コイル２４の支持バネ（図示せず）や加熱コイル２４と第２のプリント基板３１とを電気的に接続する中継端子台など温度制約が緩く熱的に破壊しにくい構造物のみが配設されている。さらに、本体２１を上面から見たとき、冷却ファン３４、第１のプリント基板３０、第２のプリント基板３１はロースター加熱室２７とは重ならない位置でその側方に配設されている。
【０００８】
次に本実施例の作用について説明する。ロースター加熱室２７はその内部の焼き網の上と下の両側にヒータを備える両面焼きとしているため、焼き網下方のヒータの分が少なくとも高さ寸法が高くなり、左側の加熱コイル２４との間に他の部品を配設するような隙間が狭くなり、加熱コイル２４の駆動回路を構成する第２のプリント基板３１は加熱コイル２４の下に配設することができず、ロースター加熱室２７の右側で操作部２９の後ろの空間に第１のプリント基板３０と２層に重ねて配設されている。この結果、２層のプリント基板３０、３１の後ろの冷却ファン３４の１個のみで複数のプリント基板３０、３１に直接冷却風が当たり効率的に冷却できると同時に、プリント基板３０、３１と冷却ファン３４は平面方向でロースターと分離して配設するのでロースターの熱影響を低減して冷却できる。また、第１のプリント基板３０の上に右側の加熱コイル２３を配設しているので、冷却ファン３４の吹き出し風の一部が右側の加熱コイル２３をも直接冷却する。なお、冷却ファン３４は回転軸がプリント基板３０、３１と直交したシロッコ型であるので、プリント基板３０、３１の上下位置を調節することで容易に冷却のバランスを同等にとることができる。
【０００９】
この結果、両面焼きという庫内高さを大きくする必要があるロースターを提供でき、１個の冷却ファンで本体２１内に加熱コイル駆動回路のプリント基板３０、３１を２層に配設することでプリント基板３０、３１中の大電流部を主とした冷却必要部をロースターの熱影響を受けにくい位置に集約した上に、その上部の加熱コイル２３を同時に冷却でき、効率的な冷却を実現できる。さらに、冷却ファンが１個で構成されるので、騒音の低い誘導加熱調理器を実現するものである。また、本実施例の構成とすれば、ロースター加熱室２７の高さは、左の加熱コイル２４に近接するまで大きくできるので、本体２１がキッチンへの組み込み式であるので、本体２１の高さがキッチン寸法から決まっていても、その中で最大限高くでき、庫内の広い使い勝手の良いロースターを提供できる。
【００１０】
また、本実施例では組み込み式の本体２１が一体になった一つの外郭で囲まれたものであるので、１個の冷却ファンで本体２１内部全体に冷却風を送れる。加えて、吸気口３７と排気口３８の位置を本体２１の上面後部としているので、キッチンに組み込み時、本体２１の下にオーブンなど熱気を排するものがあっても、その熱気を直接吸い込まないので本体２１に吸い込む吸気温度が２０Ｋ程度上昇するのを防ぐことができ、本体２１の内部冷却が十分に達成できて、熱気による温度上昇で保護装置が動作することがない。また、排気口３８が本体２１の後部にあるので本体２１の排気熱が使用者に直接当たらないのに加え、本体内の冷却風の流れは図２中に矢印で示すように、高温になるラジェントヒータ２５を避けるように略Ｕ字状に流れるので、冷却を必要としないラジェントヒータ２５から余分な熱を奪うことを防げる。また、プリント基板３０、３１は基板保持台３２、３３と一体にユニットになっているので、本体２１の組み立て、分解が容易にできる。さらに、上側の基板保持台３３の上端と遮熱隔壁２８とが略同一高さなので、ロースター右側の空間に加熱コイル２３、２４の駆動回路であるプリント基板３０、３１と冷却ファン３４を置くことでロースターの熱を飛ばすように集中的に冷却できる。加えて、プリント基板３０、３１が層に重なっているのでその間をダクト状に送風でき冷却効率が上がる。また、２個の加熱コイル２３、２４の周囲の通気抵抗を同等にできて２個の加熱コイル２３、２４の温度を同等にしやすいのに加え、これら加熱コイル２３、２４を保持する部材を共用にできる。
【００１１】
本実施例では、加熱コイルが２個でプリント基板を２層としたが、これに限るものでなく、３個の加熱コイルと３層のプリント基板を備えるものや、加熱コイルが右前の１個だけで他の熱源は電熱式のラジェントヒータなどであっても良く、プリント基板は加熱コイル駆動回路用と他の熱源駆動用の複数層としたものであっても同様の効果がある。
【００１２】
（実施例２）
以下、本発明の第２の実施例２について図４、図５および図６により説明する。
【００１３】
図において、本体４１、天板４２、第１の加熱コイル４３、第２の加熱コイル４４と、ラジェントヒーター４５、ロースター扉４６、ロースター加熱室４７、ロースター加熱室４７の内部に備えた受け皿、焼き網、焼き網の上側と下側の両方のヒーター（図示せず）は前記実施例１と同様で、このためロースター加熱室４７の高さ寸法が大きくなりロースター加熱室４７の上側は遮熱隔壁を介して限られた空間内に加熱コイル４４のみが配設されている。また、操作部４８、第１の加熱コイル４３の駆動回路を構成する第１のプリント基板４９、第２の加熱コイル４４の駆動回路を構成する第２のプリント基板５０、基板保持台５１、５２、冷却ファン５３、モータ５４、吸気ダクト５５、吸気口５６、排気口５７も前記実施例１と同様の構成である。
【００１４】
前記実施例１と異なるのは、上側の第１のプリント基板４９を覆うように基板カバー５８を設けて基板保持台５１と基板カバー５８とで通風路を形成し、通風路の出口側には冷却風の偏向板となる操作部後面壁４８ａを備え、ロースターに近い側であるその左側で左の第２の加熱コイル４４の後端よりも前の位置に主の通気口となる第１の開口５９を、右側に従となる第２の開口６０を設けた点である。
【００１５】
この構成での作用は次のようになる。冷却ファン５３から送られる冷却風はそれぞれ通風路を形成されたプリント基板４９、５０を通過しながら冷却後、操作部後面壁４８ａで流路を変え、その大部分が基板カバー５８の第１の開口５９と第２の開口６０を通り、第１の開口５９から出た冷却風は左の第２の加熱コイル４４を、第２の開口６０から出た冷却風は右の第１の加熱コイル４３を冷却するように流れる。左の加熱コイル４４は第１の開口５９から離れた位置にあり、その下方のロースター加熱室４７の熱影響も受けるため右の第１の加熱コイル４３よりも冷却性を高める必要があり、第１の開口５９を第２の開口６０よりも大きくして主の開口としている。これにより冷却ファン５３から遠い左側の第２の加熱コイル４４の冷却性能が確保される。また、第１の開口５９の位置は左の第２の加熱コイル４４の後端よりも前にあるので、第１の開口５９から出た冷却風はその大部分が左の第２の加熱コイル４４と交わる経路で流れるので、左の第２の加熱コイル４４の冷却効率を高めることができる。
【００１６】
以上により本実施例の効果は次のようになる。
【００１７】
本実施例の構成とすれば前記実施例と同様に、ロースター加熱室４７の高さを最大限高くでき、庫内の広い使い勝手の良いロースターを提供できると同時に、ロースターの上のように冷却ファン５３から遠く、ロースターの熱影響を受けやすい位置であっても第２の加熱コイル４４の冷却は十分に達成できる。またロースター側の第２の加熱コイル４４に冷却風を効果的に送ることができ冷却効率を高められる。こうして加熱コイルの配置位置の制約を無くし、加熱コイルを複数個備えた誘導加熱調理器を容易に実現できる。また、第１のプリント基板４９は基板カバー５８で覆われダクト状の冷却風路ができ、上側の第１のプリント基板の冷却効果が高まる。
【００１８】
（実施例３）
以下、本発明の実施例３について図７、および図８により説明する。
【００１９】
図において、本体６１、天板６２、加熱コイル６３、６４と、ラジェントヒーター６５、ロースター扉６６、ロースター加熱室６７、ロースター加熱室６７内部に備えた受け皿６７ａ、焼き網６７ｂ、焼き網６７ｂの上側ヒータ６７ｃと下側ヒータ６７ｄの両方のヒーターは実施例１と同様な構成で、このためロースター加熱室６７の高さ寸法は調理物を置くために必要な空間（図７に示すＨ）を確保するため大きくなり、ロースター加熱室６７の上側は遮熱ケース６８を介した空間内に加熱コイル６４のみが配設されている。また、操作部６９、加熱コイル６３の駆動回路を構成する第１のプリント基板７０、加熱コイル６４の駆動回路を構成する第２のプリント基板７１、基板保持台７２、７３冷却ファン（図示せず）、モータ（図示せず）、吸気ダクト７４、遮熱隔壁７５、吸気口７６、排気口７７も実施例１と同様の構成である。
【００２０】
実施例１と異なるのは、ロースター加熱室６７の上方と本体中心側にロースター加熱室６７を覆うように設けた遮熱隔壁７５と仕切り板７９のうち、仕切り板７９の下部に通風口８０、８１を設けた点である。通風口８０、８１の位置は遮熱ケース６８の底面と本体６１の底面との隙間に高さ方向に重なりがあるよう設けられている。
【００２１】
このような構成とすれば、冷却ファンから送風され第１のプリント基板７０、第２のプリント基板７１を冷却した後の冷却風の一部が冷却ファンが発する圧力により、図７に矢印で示すように仕切り板７９の下部の通風口８０、８１からロースターの遮熱ケース６８と本体６１の底面との隙間に送風され、ロースターの底面側と本体６１の底面を冷却した後排気口から排出されるので、ロースターに近接した本体外郭の底面の温度を低減することができる。これにより本体６１をキッチンに組み込んで使用する際、キッチンの形態により組み込んだ誘導加熱調理器の下部の扉を開くとキッチンに仕切り板が無いため、誘導加熱調理器本体の底面が露出する部分が多くあるが、このような際に誘導加熱調理器本体の底面に誤って触れても火傷の心配を無くすことができるものである。仕切り板７９の通風口は１個であっても、３個以上の複数であってもよい。また本体６１の奥行き寸法の前半部に設けることで排気口７７までの経路でロースターの遮熱ケース６８の底面を流れる面積を広くでき、冷却効果を高められる。
【００２２】
（実施例４）
以下、本発明の実施例４について図９、および図１０により説明する。
【００２３】
図において、本体９１、天板９２、加熱コイル９３、９４と、ラジェントヒーター９５、ロースター扉９６、ロースター加熱室９７、ロースター加熱室９７内部に備えた受け皿９７ａ、焼き網９７ｂ、焼き網９７ｂの上側ヒータ９７ｃと下側ヒータ９７ｄの両方のヒーターは前記実施例と同様な構成で、このためロースター加熱室９７の高さ寸法は調理物を置くために必要な空間（図９に示すＪ）を確保するため大きくなり、ロースター加熱室９７の上側は遮熱隔壁９８を介した空間内に加熱コイル９４のみが配設されている。また、操作部９９、加熱コイル９３の駆動回路を構成する第１のプリント基板１００、加熱コイル９４の駆動回路を構成する第２のプリント基板１０１、基板保持台１０２、１０３冷却ファン（図示せず）、モータ（図示せず）、吸気ダクト１０４、吸気口１０５、排気口１０６も前記実施例と同様な構成である。
【００２４】
前記実施例と異なるのは、ロースター加熱室９７の上方と本体中心側にロースター加熱室９７を覆うように設けた遮熱隔壁９８と仕切り板１０７のうち、遮熱隔壁９８の本体側面側である左端前部に通風口１０８を設けた点である。通風口１０８の位置は遮熱ケース１０９の左側面と本体９１の左外壁との隙間に水平方向に重なりがあるように設けられている。
【００２５】
このような構成とすれば、冷却ファンから送風されプリント基板１００、１０１を冷却した後の冷却風の大部分が冷却ファンが発する圧力により、左側の加熱コイル９４の周囲に送風した後、図９に矢印で示すように遮熱隔壁９８の左端前部の通風口１０８からロースターの遮熱ケース１０９と本体９１の左外壁前部との隙間に送風され、ロースターの左側面と本体９１の左外壁面を前から後ろに冷却して後排気口から排出される。この作用により、ロースター加熱室９７の上にある加熱コイル９４の周囲に送風が十分に行われ、ロースターの熱が加熱コイル９４に達するのを低減すると同時に、ロースターに近接した本体外郭左面の温度を低減することができる。これにより、ロースター加熱室９７の上にある加熱コイル９４の温度低減が図れると同時に、本体９１をキッチンに組み込んで使用する際、誘導加熱調理器本体側面に近接するキッチンの温度低減が図られ、キッチンを構成する部材の温度が上昇し耐久性が低下するという、誘導加熱調理器本体による熱影響を低減することができる。
【００２６】
（実施例５）
以下、本発明の実施例５について図１１、および図１２により説明する。
【００２７】
図において、本体１２１、天板１２２、加熱コイル１２３、１２４と、ラジェントヒーター１２５、ロースター扉１２６、ロースター加熱室１２７、ロースター加熱室１２７内部に備えた受け皿（図示せず）、焼き網（図示せず）、焼き網の上側ヒータ（図示せず）と下側ヒータ（図示せず）との両方のヒーター、操作部１２８、加熱コイル１２３の駆動回路を構成する第１のプリント基板１２９、加熱コイル１２４の駆動回路を構成する第２のプリント基板（図示せず）、基板保持台１３０、１３１、冷却ファン１３２、モータ（図示せず）、吸気ダクト１３３、は実施例１と同様な構成である。
【００２８】
実施例１と異なるのは、本体１２１の後部に設けた吸気口１３４と排気口１３５に加え、左加熱コイル１２４の左前方でロースター扉１２６より上側の本体１２１の前面に排気口１３５より狭い通気口１３６を設けた点である。
【００２９】
この構成とすることで、加熱コイル１２４を冷却した後の冷却風を本体後ろの排気口１３５だけから排出すると、排気口１３５から離れた本体左前角部には冷却風が届き難く左前の加熱コイル１２４は冷却され難いものであったのが、本体左前の通気口１３６からも従に排気することで本体内左前角部の冷却風のよどみが無くなり、冷却ファン１３２から遠い側の加熱コイル１２４の温度上昇を低減し、本体内全体の冷却効果を高めるものである。また、冷却風は本体１２１内を通過中に暖められて体積が膨張するので排気口面積を多く必要とするが、通気口１３６が補助の排気口となって排気抵抗の増大を低減して本体内の冷却効果を高めるものである。
【００３０】
（実施例６）
以下、本発明の実施例６について図１３、図１４および図１５により説明する。
【００３１】
図において、本体１４１は、その上面の天板１４２の下方前方左右の加熱コイル１４３、１４４と、その後方のラジェントヒーター１４５を備えている。本体前面左側にはロースター扉１４６と、その奥側のロースター加熱室１４７とを備え、ロースター加熱室１４７の内部は受け皿と、焼き網と、焼き網上側と下側の両方にヒーターを備えた（図示せず）両面焼きロースターを構成している。このためロースター加熱室１４７の高さ寸法が大きくなりロースター加熱室１４７の上側は遮熱隔壁を介して限られた空間内に加熱コイル１４４のみが配設されている。本体の反ロースター側である右には前面に調理器本体１４１の出力を設定する操作部１４８と、その奥方の右側の加熱コイル１４３の駆動回路を構成する第１のプリント基板１４９と左側の加熱コイル１４４の駆動回路を構成する第２のプリント基板１５０とが水平な２層となるように、基板保持台１５１、１５２によって支えられている。そしてその後方に近接してシロッコ型の冷却ファン１５３と、その上方のモータ１５４と、冷却ファン１５３およびモータ１５４を覆う吸気ダクト１５５とを備えている。ラジェントヒータ１４５とロースターヒータの駆動回路はプリント基板１４９、１５０の中に構成されている。さらに本体後部には、吸気ダクト１５５で連結した吸気口１５６と、その反対側の排気口１５７を備えている。
【００３２】
次に本実施例の作用について説明する。
【００３３】
左側加熱コイル１４４の下方はロースター加熱室１４７の高さが必要なため空間がせばめられその駆動回路を配設することができない。そのため右の加熱コイル１４３の駆動回路と重ねて反ロースター側の本体内空間に、２層のプリント基板１４９、１５０として配置する。こうすることで、スイッチング素子や整流器などのパワー半導体を含む複数のプリント基板１４９、１５０を１カ所に集約できるので、１個の冷却ファン１５３を両方のプリント基板１４９、１５０にまたがるように配設することで、複数のプリント基板に冷却風が分流され効率的に冷却できる。本実施例では冷却ファン１５３をシロッコ型としたが軸流型など他の形式のものでも同様の効果がある。また、本実施例ではシロッコ型の冷却ファン１５３の上に、吸気口１５６と繋がる吸気ダクト１５５の入り口壁から吸気口側に露出しないようモータ１５４を配設しているので、本体冷却の外気を効率的に吸い込むと同時に、吸気口１５６から水や異物が侵入しても容易にモータ１５４に当たることなく吸気ダクト１５５の底に達し、動作不良などに対し調理器本体の信頼性を高めることができる。そして、冷却ファン１５３は上下両面から吸い込むので冷却ファン１５３の出口の送風が上下いずれかに偏らないので複数のプリント基板１４９、１５０に均等に冷却風を分配しやすく、モータ１５４も十分に冷却される。また、本実施例ではプリント基板１４９、１５０を水平に２層配置としたがこれに限るものでなく、略垂直に２層配置しても同様の効果がある。
【００３４】
（実施例７）
以下、本発明の実施例７について図１６、図１７および図１８により説明する。
【００３５】
図において、本体１６１、天板１６２、２個の加熱コイル１６３、１６４、ラジェントヒーター１６５、本体左側のロースター扉１６６、ロースター加熱室１６７、ロースター加熱室１６７内部の受け皿、焼き網、焼き網の上側と下側の両方のヒーター（図示せず）、本体の反ロースター側の操作部１６８、第１のプリント基板１６９、第２のプリント基板１７０、基板保持台１７１、１７２、本体１６１後部の吸気口１７３、排気口１７４は前記実施例と同様の構成である。
【００３６】
前記実施例と異なるのは、２層に配設した複数のプリント基板１６９、１７０の前方に近接して遠心型の一種であるシロッコ型の冷却ファン１７５とモータ１７６とファンダクト１７７を、モータ１７６の軸が横向きで、ファンダクト１７７の吹き出し口が本体の上側でロースター向きあるいはロースター側の後ろ向きに配設された点である。
【００３７】
次に本実施例の作用について説明する。冷却ファン１７５が動作した際の冷却風の流れは、吸気口１７３から基板保持台１７１、１７２で形成されるプリント基板１６９、１７０の冷却ダクトを通り、冷却ファン１７５に吸い込まれる。さらにファンダクト１７７の吹き出し口からロースター向きを主に排出され排気口１７４から本体１６１外へ排気される。この経路で、冷却ファン１７５がシロッコ型であるため、吸気口１７３からプリント基板１６９、１７０を通った冷却風はＬ字状あるいはＵ字状に方向を変えることが容易であり、図１７に矢印で示すようにロースターの上にある左加熱コイル１６４側にも容易に冷却風を送り、本体左側から排気口への送風を効率的に行う効果がある。なお本実施例では冷却ファン１７５をシロッコ型としたがこれに限るものでなく、ターボ型など他の形式の遠心型ファンであっても同様の効果を得られる。
【００３８】
【発明の効果】
上記に明示したように、請求項１記載の発明によれば、一体になった外郭で囲まれた本体上面に設けられた天板と、前記天板の下方に設けられた第１の加熱コイル及び第２の加熱コイルと、冷却ファンと、前記本体の出力を設定する操作部と、前記加熱コイルの駆動回路を形成する複数のプリント基板と、前記本体内の左右何れかの片側に設けられたロースター加熱室と、前記ロースター加熱室を覆うように設けた前記ロースター加熱室上部の遮熱隔壁及び前記ロースター加熱室の前記本体中心側の仕切り板と、前記本体上面後部で前記ロースターと反対側に設けられた吸気口及び前記ロースター側に設けられた排気口とを備え、前記遮熱隔壁の上部に前記第２の加熱コイルを設け、前記ロースター加熱室の側方に前記複数のプリント板を、前記複数のプリント基板の奥側に近接して前記冷却ファンをそれぞれ設け、前記複数のプリント基板がそれぞれ基板保持台で個別にユニットにして積み重ねられ、前記プリント基板を覆うように隔壁をさらに設けて前記基板保持台と前記隔壁で通風路を形成するとともに前記隔壁の上部に前記第１の加熱コイルを設け、前記隔壁の前記ロースター加熱室側に第１の開口を、前記隔壁の前記第１の加熱コイル側に第２の開口を形成し、前記冷却ファンによる冷却風は、前記吸気口から前記通風路に送られるとともに、前記第１の開口及び前記第２の開口を通って前記排気口に送られる構成を備えたので、本体の限られた高さ寸法の中で両面焼きロースターや庫内の広い使い勝手のよいロースターを実現すると同時に、ロースターの反対側の空間に加熱コイルと加熱源の駆動回路のプリント基板とその上の加熱コイルをロースターの熱を排しながら層状の冷却を形成して１個の冷却ファンでの効率的な冷却を実現し、冷却ファンなどが発する騒音の低い誘導加熱調理器を実現することができる。
【００３９】
また、組み込み式の本体が一体になった一つの外郭で囲まれているので、１個の冷却ファンで本体内部全体に冷却風を送ることができる。加えて、吸気口と排気口の位置が本体の上面後部にあるので、キッチンに組み込み時本体の下にオーブンなど熱気を排するものがあっても、その熱気を直接吸い込まず本体に吸い込む吸気温度が上昇するのを防ぐことができ、温度上昇保護装置が動作することがない。また、排気口が本体の後部にあるので本体の排気熱が使用者に直接当たらないのに加え、本体内の冷却風の流れは略Ｕ字状に流れるので、冷却を必要としないラジェントヒータから余分な熱を奪うことを防ぐ。また、複数のプリント基板はそれぞれ基板保持台と一体にユニットになっているので、本体の組み立て、分解が容易にできる。
【００４０】
また、冷却ファンで駆動回路部を冷却後加熱コイルに送風するので、両面焼きなど庫内高さを大きくする必要があるロースターを実現すると同時に、加熱コイルの配置位置の制約を無くし加熱コイルを複数個備えた誘導加熱調理器を容易に実現する。また、上側のプリント基板は、隔壁で覆われダクト状の冷却風路ができるので冷却効果が高まる。
【００４１】
また、ロースターの上にある加熱コイルの周囲に送風が十分に行われ、ロースターの熱が加熱コイルに達するのを低減すると同時に、ロースターに近接した本体外郭の温度を低減することができる。これにより、ロースターの上の加熱コイルの温度低減を図り、本体をキッチンに組み込んで使用する際、誘導加熱調理器本体側面に近接するキッチンの温度低減をが図ることができる。
【図面の簡単な説明】
【図１】本発明の実施例１における誘導加熱調理器の斜視図
【図２】同誘導加熱調理器の破断平面図
【図３】同誘導加熱調理器の縦側面断面図
【図４】本発明の実施例２における誘導加熱調理器の斜視図
【図５】同誘導加熱調理器の破断平面図
【図６】同誘導加熱調理器の縦側面断面図
【図７】本発明の実施例３における誘導加熱調理器の縦正面断面図
【図８】同誘導加熱調理器の斜視図
【図９】本発明の実施例４における誘導加熱調理器の縦正面断面図
【図１０】同誘導加熱調理器の斜視図
【図１１】本発明の実施例５における誘導加熱調理器の斜視図
【図１２】同誘導加熱調理器の破断平面図
【図１３】本発明の実施例６における誘導加熱調理器の斜視図
【図１４】同誘導加熱調理器の破断平面図
【図１５】同誘導加熱調理器の縦側面断面図
【図１６】本発明の実施例７における誘導加熱調理器の斜視図
【図１７】同誘導加熱調理器の破断平面図
【図１８】同誘導加熱調理器の縦側面断面図
【図１９】従来例の誘導加熱調理器の斜視図
【図２０】同誘導加熱調理器の縦正面断面図
【符号の説明】
２１、４１、６１、９１、１２１、１４１、１６１  本体
２２、４２、６２、９２、１４２、１６２  天板
２３、２４、６３、６４、９３、９４、１２３、１２４、１４３、１４４、１６３、１６４  加熱コイル
２７、４７、６７、９７、１２７、１４７、１６７  ロースター加熱室
２９、４８、６９、９９、１４８、１６８  操作部
４８ａ、  操作部後面壁（偏向板）
３０、４９、７０、１００、１６９  第１のプリント基板（駆動回路部）
３１、５０、７１、１０１、１７０  第２のプリント基板（駆動回路部）
３４、５３、１３２、１５３、１７５  冷却ファン
２８、７５、９８  遮熱隔壁
３７、５６、７６、１０５  吸気口
３８、５７、７７、１０６  排気口
４３  第１の加熱コイル
４４  第２の加熱コイル
５１、５２、７２、１０２、１０３  基板保持台
５８  基板カバー
５９  第１の開口
６０  第２の開口
７９、１０７  仕切り板
８０、８１、１０８  通風口
【図１】
0003613109.tif 000002
【図２】
0003613109.tif 000003
【図３】
0003613109.tif 000004
【図４】
0003613109.tif 000005
【図５】
0003613109.tif 000006
【図６】
0003613109.tif 000007
【図７】
0003613109.tif 000008
【図８】
0003613109.tif 000009
【図９】
0003613109.tif 000010
【図１０】
0003613109.tif 000011
【図１１】
0003613109.tif 000012
【図１２】
0003613109.tif 000013
【図１３】
0003613109.tif 000014
【図１４】
0003613109.tif 000015
【図１５】
0003613109.tif 000016
【図１６】
0003613109.tif 000017
【図１７】
0003613109.tif 000018
【図１８】
0003613109.tif 000019
【図１９】
0003613109.tif 000020
【図２０】
0003613109.tif 000021